(57)【要約】      （修正有）【課題】止水性の高い新規な管内面更生端部の処理構造とその処理方法を提供する。【解決手段】既設管の内周面に柔軟性を有するプラスチック管１を挿入してなる更生管Ｐ’のその端部を管端止水部材１０で止水する。管端止水部材は、更生管の管端部内に挿入可能な筒状体１１と、その更生管の管端部の端面に当接するパッキン２と、筒状体の一端の環状鍔体１２とからなる。止水部材の筒状体外周面は、タップねじ１３がねじ込み方向に向かって縮径する円錐台面上に形成されている。【選択図】図１
2019178708.tif 000002
【特許請求の範囲】
【請求項１】
既設管の内周面に柔軟性を有するプラスチック管（１）を挿入した更生管（Ｐ’）の管端部止水構造であって、前記更生管（Ｐ’）の管端部内に挿入可能な筒状体（１１）と、その更生管（Ｐ’）の管端部の端面にパッキン（２）を介在して当接する環状鍔体（１２）とからなる管端止水部材（１０）を備え、その管端止水部材（１０）の前記筒状体（１１）の外周面はタップねじ（１３）となって、前記管端止水部材（１０）は前記プラスチック管（１）に前記タップねじ（１３）によってねじ込まれて、前記パッキン（２）により既設管内面とプラスチック管（１）外面との間が止水されていることを特徴とする管内面更生端部の処理構造。
【請求項２】
上記筒状体（１１）のタップねじ（１３）は、ねじ込み方向に向かって縮径する円錐台面上に形成されていることを特徴とする請求項１に記載の管内面更生端部の処理構造。
【請求項３】
請求項１又は２に記載の管内面更生端部と他の管（Ｐ）との接続構造であって、その他の管端と前記管内面更生管端部を対向させ、その両管端部に亘って管状継ぎ輪（３０）を嵌め込み、その嵌め込み面を止水したことを特徴とする管接続構造。
【請求項４】
請求項１又は２に記載の管内面更生端部の処理構造をなす方法であって、既設管の内周面に柔軟性を有するプラスチック管（１）を挿入してなる更生管（Ｐ’）の管端部内に、管端止水部材（１０）の筒状体（１１）を、その環状鍔体（１２）と更生管（Ｐ’）の管端部の端面との間にパッキン（２）を介在して前記プラスチック管（１）にタップねじ（１３）によってねじ込こんで管内面更生端部の止水を行うことを特徴とする管内面更生端部の処理方法。
【発明の詳細な説明】
【技術分野】
【０００１】
この発明は、鋳鉄管等の埋設既設管の内面をプラスチック管等のライナー管で被覆して更生したその端部を止水する処理方法及びその処理構造に関する。
【背景技術】
【０００２】
従来から圧力管、給水管、配水管等として地中に埋設されている既設管が老朽化した場合、この老朽化した既設管を所定の長さで両端を切断し、その切断した既設管の内周面に柔軟性を有するプラスチック管を挿入し、そのプラスチック管からなるライナー管により既設管の更生を行い、このライナー管を挿入した更生管と切断した既設管の管端部とを突き合わせ、管継手により連結して再生する管更生工法が行われている。以下、ライナー管で内面を被覆された既設管を「更生管」と称する。
また、埋設既設管が老朽化した場合、その既設管を開削により新管に取り替えることも行われるが、地上にビル等が建っていてその部分を開削できない場合がある。その場合、開削できない部分の埋設既設管に上記管更生工法が採用される。
【０００３】
その管更生工法の一例として、まず、既設管の内周面に柔軟性を有するプラスチック管を挿入し、そのプラスチック管を蒸気と圧縮空気により拡張させて既設管の内周面に密着させ、その後、冷却固化させて管更生を行う。
つぎに、その更生管の管端部内に挿入可能な筒状体及び更生管の管端部の端面に当接可能な環状鍔体からなる管端封止部材を形成し、その筒状体の外周面にライナー管（プラスチック管）が被嵌され、筒状体の外周面にライナー管の内周面に弾圧接触可能な環状パッキンを配設し、管端封止部材の筒状体の外周面から環状鍔体に至る外周面をテーパー面に形成し、そのライナー管の内周面、筒状体の外周面、テーパー面、環状パッキン及び環状鍔体により囲まれた間隙に封止剤を設けている（特許文献１）。
【先行技術文献】
【特許文献】
【０００４】
【特許文献１】特開２０１５−１１３９５４号公報
【発明の概要】
【発明が解決しようとする課題】
【０００５】
上記従来の管更生工法は、筒状体の外周面とライナー管の内周面に環状パッキンを配設し、ライナー管の内周面と筒状体の外周面、テーパー面及び環状鍔体との間に封止剤を設けて、既設管内面とライナー管外面の間に水が入り込まないようにして更生管端部の止水を行っている。
しかし、この止水構造は、煩雑であり、十分な止水効果を得ていないと共に、作業性の悪いものとなっている。
【０００６】
この発明は、以上の実状の下、止水性の高い新規な管内面更生端部の処理構造とその処理方法を提供することを課題とする。
【課題を解決するための手段】
【０００７】
上記課題を達成するため、この発明は、既設管の内周面に柔軟性を有するプラスチック管を挿入してなる更生管の管端部止水構造であって、前記更生管の管端部内に挿入可能な筒状体と、その更生管の管端部の端面にパッキンを介在して当接する環状鍔体とからなる管端止水部材を備え、その管端止水部材の筒状体の外周面はタップねじとなって、管端止水部材はプラスチック管にタップねじによってねじ込まれて、前記パッキンにより既設管内面とプラスチック管外面との間が止水されている管内面更生端部の処理構造としたのである。
【０００８】
この構成とすれば、プラスチック管であるから、タップねじもプラスチック管に容易にねじ込めて止水効果も高いものとなるとともに、そのねじ込みによってパッキンも既設管内面とプラスチック管外面との間に圧接されて有効な止水がなされる。
このとき、上記筒状体のタップねじは、ねじ込み方向に向かって縮径する円錐台面上に形成されていれば、プラスチック管にねじが容易に形成されて止水部材を円滑にねじ込まれる等の作業性が向上する。
この構成の管内面更生端部と他の管、例えば、既設管や新設管との接続は、その他の管端と前記管内面更生端部を対向させ、その両管端部に亘って管状継ぎ輪を嵌め込み、その嵌め込み面を止水する構造等を採用する。
【０００９】
上記管内面更生端部の処理構造をなす方法には、例えば、既設管の内周面に柔軟性を有するプラスチック管を挿入してなる更生管の管端部内に、管端止水部材の筒状体を、その環状鍔体と更生管の管端部の端面との間にパッキンを介在して前記プラスチック管にタップねじ構造によってねじ込こんで管内面更生端部の止水を行う構成を採用することができる。
【発明の効果】
【００１０】
この発明は、以上のように構成したので、新規な構成でもって、作業性良く、止水性の高い新規な管内面更生端部の処理を行うことができる。
【図面の簡単な説明】
【００１１】
【図１】この発明に係る管内面更生端部と他の管との接続構造の一実施形態の要部断面図
【図２】同実施形態の作用説明図
【図３】同実施形態の取付治具及び管端止水部材を示し、（ａ）は取付治具の正面図、（ｂ）は取付治具及び管端止水部材の側面図
【発明を実施するための形態】
【００１２】
この発明に係る管内面更生端部と他の管との接続構造の一実施形態を図１に示し、この実施形態は、開削によって更新された新設管Ｐと更生した既設管Ｐ’との接続に係わるものである。新設管Ｐ及び既設管Ｐ’はＫ形ダクタイル鋳鉄管からなって、内面にモルタルライニングａが施されている。
【００１３】
既設管Ｐ’は、その内周面にライナー管となる管プラスチック管１が挿入されている。このプラスチック管１は、例えば、熱硬化性プラスチックや熱可塑性プラスチックが用いられる。このプラスチック管１を既設管Ｐ’内に挿入し、プラスチック管１を蒸気と圧縮空気で拡張させて既設管Ｐ’の内周面に密着させ、その後、冷却固化させて管更生を行う。この冷却固化時、プラスチック管１は収縮して縮径するため、既設管Ｐ’内面とは少なからず隙間が生じる。このプラスチック管１で内面を被覆されてライナーとなった既設管Ｐ’が更生管となる。
【００１４】
その隙間への水の侵入を阻止するため（止水のため）、その更生管Ｐ’の端部に管端止水部材１０を設ける。この管端止水部材１０は、図１〜図３に示すように、更生管Ｐの管端部内に挿入可能な円筒状筒状体１１と、その更生管Ｐ’の管端部の端面にパッキン２を介在して当接する円環状鍔体１２とからなる。
その管端止水部材１０の筒状体１１は、その外周面が先端に向かって縮径する円錐台状のテーパー面となって、その外周面にタップねじ１３が形成されている。
【００１５】
この管端止水部材１０は、図２、図３に示す取付治具２０によって更生管Ｐ’の端部にねじ込まれる。その取付治具２０は、管端止水部材１０の筒状体１１の内面に嵌る筒状部２１と、その筒状部２１の対向縁のハンドル部２２と、管端止水部材１０の鍔体１２の側面四等分位の係止孔１４に嵌る係止突起２３とからなる。
【００１６】
この取付治具２０によって管端止水部材１０を更生管Ｐ’の端部に取付ける作用を図２（ａ）〜同（ｃ）に基づいて説明する。まず、同図（ａ）に示すように、プラスチック管１の端部１ａを管端止水部材１０の筒状体１１が入り得るように矯正するとともに、取付治具２０の筒状部２１に管端止水部材１０を嵌め込む（取り付ける）。このとき、管端止水部材１０の鍔体１２の筒状体１１側にはパッキン２を嵌め込む。
【００１７】
つぎに、同図（ｂ）に示すように、その管端止水部材１０を取り付けた取付治具２０を更生管Ｐ'の端部に係止突起２３を係止孔１４に嵌め込んで宛がい、その状態で、ハンドル部２２でもって取付治具２０を回しながら更生管Ｐ’に管端止水部材１０をねじ込む。このとき、管端止水部材１０の筒状体１１の外周面はタップねじ１３となっているため、プラスチック管１の端部内面にねじを切りながらねじ込まれる。
【００１８】
そのねじ込みが進むと、同図（ｃ）に示すように、パッキン２が更生管Ｐ’の端面に圧接してライニングａの内面とプラスチック管１外周面の間隙ｔが閉塞（止水）される。このとき、タップねじ１３は、先端に向かって縮径する円錐台状のテーパー面となっているため、管端止水部材１０が強固にねじ込まれてパッキン２を更生管Ｐ’の端面に強固に密着させる。
【００１９】
この更生管Ｐ’は、開削によって更新された新設管Ｐに接続される。その接続は、図１に示すように、  新設管Ｐの管端と更生管Ｐ’端部を対向させるとともに、その両管端部に亘って管状継ぎ輪３０を嵌め込む。その継ぎ輪３０はＫ形であって、両側にフランジ３１、３１を有するとともにゴム輪３２が管Ｐ、Ｐ’との間に介在される。このため、そのゴム輪３２に押輪３３を宛がい、押輪３３とフランジ３１の間に設けたＴ字ボルト・ナット３４によって、フランジ３１に対し押輪３３を近づけることによってゴム輪３２を管Ｐ、Ｐ’との間に押し付けて止水し、両管Ｐ、Ｐ’を接続する。
この接続状態は、継ぎ輪３０によって両管Ｐ、Ｐ’の端部の間隙が被われて管路が担保され、ゴム輪３２によって管Ｐ，Ｐ’から外への止水が図られ、パッキン２によって管Ｐ’とプラスチック管１との間への止水が図られている。
【００２０】
上記実施形態はＫ形管の場合であったが、他の種類の管や異なる継手形式でもこの発明を採用することができることは勿論である。
また、この発明は、上記の新設管Ｐと更生管Ｐ’の接続に限らず、既設管と更生管Ｐ’の接続にも適用し得ることは言うまでもない。
さらに、タップねじ１３は、ねじ径が長さ方向に同一のものでも良い。
このように、今回開示された実施の形態はすべての点で例示であって制限的なものではないと考えられるべきである。この発明の範囲は、特許請求の範囲によって示され、特許請求の範囲と均等の意味および範囲内でのすべての変更が含まれることが意図される。
【符号の説明】
【００２１】
Ｐ  新設管
Ｐ’  更生管（既設管）
１  プラスチック管（ライナー管）
２  パッキン
１０  管端止水部材
１１  管端止水部材の筒状体
１２  同鍔体（フランジ）
１３  タップねじ
１４  係止孔
２０  取付治具
２１  取付治具の筒状部
２２  同ハンドル部
２３  同係止突起
３０  管状継ぎ輪
３１  継ぎ輪のフランジ
３２  ゴム輪
３３  押輪
３４  Ｔ字ボルト・ナット
【図１】
2019178708.tif 000003
【図２】
2019178708.tif 000004
【図３】
2019178708.tif 000005